(57)【要約】【課題】刃先の先端側や刃先の密着度を調整して噛合力が適度となるように設定することができる理髪用鋏を提供する。【解決手段】第１の刃体１１と第２の刃体１２を基部に形成した平坦部１３及び１４において、平坦部同士が若干の隙間ｃを存した状態で枢軸１５により回動自在に軸着した理髪用鋏において、大径の環状部１７と小径の環状部１８を両側より切込みを入れた屈折部２１にて連結した構造をなす高剛性の座金１６を第１の刃体１１の平坦部１３に添着し、環状部１８で第１の刃体１１の平坦部１３に止ネジ２６にて止着する。枢軸１５は第２の刃体１２に捩じ込まれ、嵌着したコーン状のリング２３が第１の刃体１１の断面円形孔２４に嵌挿され、屈折部２１を屈伸させることにより枢軸１５が刃体先端側の方向に前後に傾動し、また屈折部２１を捩ることにより枢軸１５が峰より刃に向かう方向に傾動する。【選択図】図２
2005261441.tif 000002
【特許請求の範囲】
【請求項１】
指環部を備えた第１の刃体と第２の刃体を基部に形成した平坦部で、平坦部同士が若干の隙間を存した状態で枢軸により回転自在に軸着した理髪用鋏において、枢軸を任意の方向に傾けた状態に調整することができる調整手段を設けたことを特徴とする理髪用鋏。
【請求項２】
上記調整手段が第１の刃体の基部に取外し可能に取着され、かつ枢軸を軸支する座金を有し、該座金が刃体の先端に向かって伸縮して枢軸を刃体の先端方向に傾斜させる伸縮手段を有すると共に、捩りによって枢軸を峰から刃に向かう幅方向に傾斜させる捩り部を有することを特徴とする請求項１記載の理髪用鋏。
【請求項３】
上記伸縮手段及び捩り部が刃体の基部への取付部と枢軸との間に形成される屈曲ないし屈折部であり、該屈曲ないし屈折部には、峰から刃に向かう幅方向に切込みが形成されることを特徴とする請求項２記載の理髪用鋏。
【請求項４】
上記枢軸がコーン状部分を有するか、コーン状のリングを外嵌し、上記コーン状部分又はリングが第１の刃体に形成される断面円形孔に嵌挿されることを特徴とする請求項１ないし３のいずれかの請求項に記載の理髪用鋏。
【発明の詳細な説明】
【技術分野】
【０００１】
本発明は、理容院や美容院で用いられる理髪用鋏に関する。
【背景技術】
【０００２】
理髪鋏は一般に図１に示すように、指環部１、２を備えた刃体３、４を基部に形成した平坦部５、６で該平坦部５、６同士を互いに接触させた状態で枢軸７により回動自在に軸着した構成をなしており、刃体３、４は平坦部５、６から先端に向かって互いに接近するように反っていると共に、峰から刃に向かって互いに接近するように湾曲し、指環部１、２に挿入した指先操作で刃体３、４を開閉操作することにより頭髪等の切断を行うようになっている。
【０００３】
理髪用鋏は上述するように、刃体３、４の平坦部５、６同士を互いに接触させた状態で開閉操作を行うようになっているが、平坦部同士の接触は刃体の開閉操作を重くし、長時間の理髪作業で疲労を増大させる、という問題があり、この問題解決のため下記特許文献１に開示されるように、平坦部同士を僅かな隙間を存して軸着したものも知られる。
【特許文献１】実開平５−８５３６６号
【発明の開示】
【発明が解決しようとする課題】
【０００４】
理髪用鋏に求められることの重要な点の一つは、切断時の切れ味を良くすることである。そのため従来のこの種鋏では、枢軸の捩込み量を調節して刃体間の隙間を調整し、これにより両刃体の刃の噛合力を強弱に調整できるようになっており、また上記特許文献１に記載されるものでは、一方の刃体の平坦部に添設される座金に捩込んだ調節ネジの捩込み操作により平坦部間の隙間を調整して噛合力を強弱に調整できるようにしている。
【０００５】
また頭髪等の切断時に指環部に挿入した指先操作によって一方の刃体を枢軸を中心として拗らせながら両刃体の刃を押付けることも行われているが、拗りはやゝもすると強くなりがちで、必要以上の噛合力が生じて切れ味が短時間で悪くなりがちである。噛合力が適度となるように開閉操作することは容易でない。
【０００６】
本発明は、噛合力が適度となるように設定することができる理髪用鋏を提供することを目的とする。
【課題を解決するための手段】
【０００７】
請求項１に係る発明は、指環部を備えた第1の刃体と第２の刃体を基部に形成した平坦部で、平坦部同士が若干の隙間を存した状態で枢軸により回転自在に軸着した理髪用鋏において、枢軸を任意の方向に傾けた状態に調整することができる調整手段を設けたことを特徴とする。
【０００８】
請求項２に係る発明は、請求項１に係る発明の調整手段が第１の刃体の基部に取外し可能に取着され、かつ枢軸を軸支する座金を有し、該座金が刃体の先端に向かって伸縮して枢軸を刃体の先端方向に傾斜させる伸縮手段を有すると共に、捩りによって枢軸を峰から刃に向かう幅方向に傾斜させる捩り部を有することを特徴とし、
請求項３に係る発明は、請求項２に係る発明の伸縮手段及び捩り部が刃体の基部への取付部と枢軸との間に形成される屈曲ないし屈折部であり、該屈曲ないし屈折部には、峰から刃に向かう幅方向に切込みが形成されることを特徴とする。
【０００９】
請求項４に係る発明は、請求項１ないし３に係る発明において、枢軸がコーン状部分を有するか、コーン状のリングを外嵌し、上記コーン状部分又はリングが第１の刃体に形成される断面円形孔に嵌挿されることを特徴とする。
【発明の効果】
【００１０】
請求項１に係る発明によると、第１及び第２の刃体の平坦部は、平坦部同士が互いに接触せず、僅かな隙間を存しているから、刃体の開閉操作を軽快に行うことができること、理髪作業が枢軸を刃体の先端側に傾けることにより両刃体は枢軸より先端側が狭まる方向に変位し、これにより刃体の接触圧が増大して刃の噛合力が増大すること、枢軸を峰から刃に向かう方向に傾けることにより、刃体を枢軸を中心として拗らせる操作を行うのと同様、刃の接触圧が増して噛合力が増大すること、枢軸を刃体先端側及び刃側のベクトル成分を有する方向に傾けると、刃体と刃の両接触圧が共に増して噛合力が増大すること、枢軸を上記と逆向きに傾けることにより噛合力を減少させることができること等の効果を奏する。
【００１１】
請求項２に係る発明によると、座金を伸ばすと、第１の刃体の基部への取付部と枢軸との間隔が増大し、枢軸が刃体の先端側に傾き、座金を縮めると、取付部と枢軸の間隔が縮小し、枢軸が指環側に傾くようになる。また座金を捩ると、枢軸が刃側又は峰側に傾くようになる。
【００１２】
請求項３に係る発明によると、屈曲部ないし屈折部を伸ばすことにより取付部と枢軸の間隔が拡大し、屈曲部ないし屈折部を屈曲ないし屈折させることにより取付部と枢軸の間隔が縮小する。また屈曲部ないし屈折部に切り込みを形成することにより屈曲部ないし屈折部で捩り易くなる。
【００１３】
請求項４に係る発明によると、枢軸はどのような角度で傾いても常に円形孔の内周面上端のエッジに接触し安定して支持されるようになる。
【発明を実施するための最良の形態】
【００１４】
図２は、第１の刃体１１と、第２の刃体１２を平坦部１３、１４を形成した基部において、平坦部同士が若干の隙間ｃを存した状態で枢軸１５により回動自在に軸着した理髪用鋏の基部構造を示すものであり、図３は、第１の刃体１１の平坦部１３に添着される鋼製の座金１６を示すもので、該座金１６は高剛性の鋼製で、大径の環状部１７と小径の環状部１８を両側より切込み１９を入れた、伸縮手段であり、かつ捩り部となる屈折部２１にて連結した構成となっており、環状部１８で第１の刃体１１の基部の平坦部１３に止ネジ２６にて止着されている。
【００１５】
枢軸１５は止ネジよりなって、頭部１５ａ下に鍔付きベアリング２２が取付けられている。この鍔付きベアリング２２は枢軸１５に取付けられた状態で座金１６の環状部１７に嵌挿され、その下方より鍔付きベアリング２２に嵌挿されたコーン状のリング２３と鍔２２ａとで環状部１７の孔縁を挟持するようになっており、枢軸１５が第２の刃体１２の平坦部１３に捩じ込まれ、リング２３が第１の刃体１１に形成される断面円形孔２４に嵌挿され、かつ該円形孔２４の孔上端のエッジに線接触して任意の方向に傾動可能に支持されるようになっている。そして第１の刃体１１は、第２の刃体１２に対し、ベアリング２２により回動自在となっている。
【００１６】
本実施形態は以上のように構成され、座金１６の屈折部２１を角度が小さくなるように伸ばすと、止ネジ２２と枢軸１５との間の間隔が増して枢軸１５が図２の左側に傾斜し、第１及び第２の刃体１１及び１２が先端側を狭める方向に変位し、先端側を圧着させて噛合力を増大させる。
【００１７】
一方、屈折部２１を角度が大きくなるように屈折させると、止ネジ２２と枢軸１５との間隔が狭まって枢軸１５が図２の右側に傾斜し、第１及び第２の刃体１１及び１２の先端側が開く方向に変位して噛合力を弱くする。
【００１８】
また、環状部１７を環状部１８に対し、切込み部分で時計或いは反時計方向に捩ると、枢軸１５が刃体１１及び１２の峰から刃に向かう幅方向に傾斜し、これにより刃同士が圧着したり、開く方向に変位し、刃同士の当たり具合が変化して噛合力を強弱に調整することができる。
【００１９】
上述する屈折部２１の屈折度や捩り具合を調整することにより刃体１１及び１２の先端側の密着度や刃同士の密着度を変化させ、噛合力を適度に設定することができる。
【産業上の利用可能性】
【００２０】
本発明は、理髪用鋏に適用される。
【図面の簡単な説明】
【００２１】
【図１】理髪用鋏の平面図。
【図２】理髪用鋏の基部構造を示す拡大断面図。
【図３】同拡大平面図。
【符号の説明】
【００２２】
１、２・・指環部
３、４、１１、１２・・刃体
５、６、１３、１４・・平坦部
７、１５・・枢軸
１６・・座金
１７、１８・・環状部
２１・・屈折部
２２・・鍔付ベアリング
２３・・リング
２４・・円形孔
２６・・止ネジ
【図１】
2005261441.tif 000003
【図２】
2005261441.tif 000004
【図３】
2005261441.tif 000005